(57)【要約】      （修正有）【課題】風向調整に優れることに加えて構成部材数を減らして簡易化及び軽量化を図り易くする。【解決手段】内側から外へ送風可能なケース１と、ケース１内の対向した支持部に対し互いに間隔を保って配列されると共に回動可能に支持された複数のフィン２と、フィン２を回動操作可能なノブ４とを備えた風向調整装置において、ノブ４は複数のフィンのうち、予め選定された第１フィン２Ａに摺動可能に嵌合されるよう設けられたカム斜面４３ａ付きのカム溝４３を有し、第１フィン２Ａはカム斜面４３ａに対応して設けられた摺動面２３ａを有し、ノブ４と第１フィン２Ａはカム斜面４３ａが摺動面２３ａに対向した状態で嵌合されており、第１フィン２Ａがノブ４を前後方向に移動させることにより回動することを特徴としている。【選択図】図４
2018075988.tif 000002
【特許請求の範囲】
【請求項１】
内側から外へ送風可能なケースと、前記ケース内の対向した支持部に対し互いに間隔を保って配列されると共に回動可能に支持された複数のフィンと、前記フィンを回動操作可能なノブとを備えた風向調整装置において、
前記ノブは前記複数のフィンのうち、予め選定された第１フィンに摺動可能に嵌合されるよう設けられたカム斜面付きのカム溝を有し、
前記第１フィンは前記カム斜面に対応して設けられた摺動面を有し、
前記ノブと前記第１フィンは、前記カム斜面が前記摺動面に対向した状態で嵌合されており、前記第１フィンが前記ノブを前後方向に移動させることにより回動することを特徴とする風向調整装置。
【請求項２】
前記第１フィンは板厚方向に貫通されて前記摺動面の一部を形成しているフィン溝を有していると共に、前記ノブと前記第１フィンは前記ノブの一部が前記フィン溝を貫通した状態で嵌合されていることを特徴とする請求項１に記載の風向調整装置。
【請求項３】
前記ノブは前記カム溝を複数有しており、前記各カム溝は前記フィンのうち前記第１フィンとこの第１フィンの隣に配置された第２フィンに嵌合されていることを特徴とする請求項１又は２に記載の風向調整装置。
【請求項４】
前記フィンの２以上を連動させるリンク機構を有しており、前記第１フィン及び第２フィンが前記ノブを前後方向に移動させることにより回動するのと連動し、前記第１フィン及び第２フィン以外のフィンが前記リンク機構を介して回動することを特徴とする請求項３に記載の風向調整装置。
【請求項５】
前記ノブを前後方向に移動させることにより、前記複数のフィンのうち、前記第１フィンに前記リンク機構を構成している第１リンクで連結された一方側フィンの一群と、前記第２フィンに前記リンク機構を構成している第２リンクで連結された他方側フィンの一群とが独立して回動することを特徴とする請求項４に記載の風向調整装置。
【請求項６】
前記ケースはケース奥側に前記フィンを配置していると共に前記ケース手前側に前記フィンと異なる方向に配置された手前側フィンを有し、前記ノブは前記手前側フィンに前後移動可能に支持されていることを特徴とする請求項１から５の何れかに記載の風向調整装置。
【発明の詳細な説明】
【技術分野】
【０００１】
本発明は、冷暖設備や空調設備などにおいて、開口部の外へ向かう空気の流れをフィンを介して可変する風向調整装置に関し、特にフィンを回動して送風態様を可変されるようにした風向調整装置に関する。
【背景技術】
【０００２】
図１７は特許文献１に開示の風向調整装置を示し、（ａ）は複数のフィンが平行となつた通常ないしは平行送風モード、（ｂ）は左右のフィンが反対方向に回動した拡散送風モード、（ｃ）は拡散送風モードでの各フィンを連結しているリンク機構を示している。この装置構造では、内側から外へ送風可能なケースと、ケース内の対向した支持部に対し互いに間隔を保って配列されると共に回動可能に支持された複数のフィン１６と、フィン１６の２以上を連動させるリンク機構１４及び操作用ノブ１８とを備え、フィン１６が（ａ）のごとく互いに略平行となる平行送風モード、２以上のフィンが（ｂ）のごとく互いに反対方向に回動した拡散送風モードとを操作ノブ１８を介して切換可能となっている。
【０００３】
要部は、操作ノブ１８が複数のフィンのうち中間に配置された中間フィン１６Ｄに連結された状態で前後移動可能に支持されている点、リンク機構１４が中間フィン１６Ｄの両隣に配置されている第１フィン１６Ｃ又は１６Ｅに対応する一端側をそれぞれ回動自在に連結し、かつ対応する他端側を中間フィン１６Ｄにそれぞれ回動自在に連結している２つの第１リンク１４Ｂ，１４Ｃと、第１フィン１６Ｃ又は１６Ｅに対応する一端側をそれぞれ連結し、かつ対応する他端側をフィン１６Ｂ，１６Ａ又はフィン１６Ｆ，１６Ｇにそれぞれ連結している２つのリンク１４Ａ，１４Ｄとを有している点にある。
【０００４】
以上の装置構造において、フィン１６Ａ〜１６Ｃ及びフィン１６Ｅ〜１６Ｇは、（ａ）の平行送風モードから（ｂ），（ｃ）の拡散送風モードに切り換える場合、操作ノブ１８を手前に引っ張ると、中間フィン１６Ｄが手前方向へ移動され、それに伴ってリンク１４Ｂ，１４Ａに連結されている一方側フィン１６Ｃ，１６Ｂ，１６Ａの一群と、リンク１４Ｃ，１４Ｄに連結されている他方側フィン１６Ｅ，１６Ｆ，１６Ｇの一群とがそれぞれ反対方向に回動されることになる。
【先行技術文献】
【特許文献】
【０００５】
【特許文献１】国際公開第２０１５／０８７９７５号
【発明の概要】
【発明が解決しようとする課題】
【０００６】
上記特許文献１の装置構造では、例えば、隣接している２枚のフィン１６Ｃ，１６Ｅを反対方向に回動する態様だと、２つのリンク１４Ｂ，１４Ｃが必要となる。また、一群のフィン１６Ｃ，１６Ｂ，１６Ａと他の一群のフィン１６Ｅ，１６Ｆ，１６Ｇを反対方向に回動する態様だと、４つのリンク１４Ａ〜１４Ｄが必要となる。このため、この装置構造では、部材数が多くなり、それに伴って小型化や軽量化が図りに難かった。また、中間フィン１６Ｄが他のフィンと異なり前後に移動可能にしなければならないため複雑化している。
【０００７】
そこで、本発明の目的は、以上のような課題を解消して、風向調整に優れるだけではなく、簡易化及び軽量化をより図り易くすることにある。他の目的は以下の内容説明のなかで明らかにする。
【課題を解決するための手段】
【０００８】
上記目的を達成するため本発明では、図１〜図９の例で特定すると、内側から外へ送風可能なケース（１）と、前記ケース内の対向した支持部（１０，１１）に対し互いに間隔を保って配列されると共に回動可能に支持された複数のフィン（２）と、前記フィンを回動操作可能なノブ（４）とを備えた風向調整装置において、前記ノブ（４）は前記複数のフィン（２）のうち、予め選定された第１フィン（２Ａ）に摺動可能に嵌合されるよう設けられたカム斜面（４３ａ）付きのカム溝（４３）を有し、前記第１フィン（２Ａ）は前記カム斜面に対応して設けられた摺動面（２３ａ）を有し、前記ノブ（４）と前記第１フィン（２Ａ）は、前記カム斜面（４３ａ）が前記摺動面（２３ａ）に対向した状態で嵌合されており、前記第１フィン（２Ａ）が前記ノブ（４）を前後方向に移動させることにより回動することを特徴としている。
【０００９】
以上の本発明は、請求項２〜６で特定したように具体化されることがより好ましい。
（１）、前記第１フィン（２Ａ）は板厚方向に貫通されて前記摺動面の一部を形成しているフィン溝（２３）を有していると共に、前記ノブ（４）と前記第１フィン（２Ａ）は前記ノブの一部が前記フィン溝を貫通した状態で嵌合されている構成である（請求項２）。
(２)、前記ノブ（４）は前記カム溝（４３）を複数有しており、前記各カム溝は前記フィンのうち前記第１フィン（２Ａ）とこの第１フィンの隣に配置された第２フィン（２Ｂ）に嵌合されている構成である（請求項３）。
【００１０】
（３）、前記フィン（２）の２以上を連動させるリンク機構（３）を有しており、前記第１フィン（２Ａ）及び第２フィン（２Ｂ）が前記ノブを前後方向に移動させることにより回動するのと連動し、前記第１フィン及び第２フィン以外のフィン（例えば、２Ｃと２Ｄ又は／及び２Ｃ〜２Ｆ）が前記リンク機構を介して回動する構成である（請求項４）。
（４）、前記ノブ（４）を前後方向に移動させることにより、前記複数のフィンのうち、前記第１フィン（２Ａ）に前記リンク機構を構成している第１リンク（３Ａ）で連結された一方側フィンの一群と、前記第２フィン（２Ｂ）に前記リンク機構を構成している第２リンク（３Ｂ）で連結された他方側フィンの一群とが独立して回動する構成である（請求項５）。
【００１１】
（５）、前記ケース（１）はケース奥側に前記フィン（２）を配置していると共に前記ケース手前側に前記フィンと異なる方向に配置された手前側フィン（１７）を有し、前記ノブ（４）は前記手前側フィン（１７）に前後移動可能に支持されている構成である（請求項６）。
【発明の効果】
【００１２】
請求項１の発明では、ノブに設けられたカム斜面付きのカム溝と、カム斜面に対応して第１フィンに設けられた摺動面を有し、カム斜面が摺動面に対向した状態で嵌合されており、第１フィンがノブを前後方向に移動させることにより回動するため、ノブで回動されるフィン数として、１枚又は請求項３のごとく２枚構成の態様だと、特許文献１に比べリンク機構を使用しなくてもよく、更に各形態のごとく残りのフィンを連動して回動可能にする請求項４のリンク機構を構成するリンク数を減らしたり短くでき、それにより部材数を減少して簡易化したり軽量化を達成できる。
【００１３】
請求項２の発明では、第１フィンが板厚方向に貫通されて摺動面の一部を形成しているフィン溝を有し、ノブと第１フィンがノブの一部をフィン溝を貫通した状態で嵌合しているため、ノブが第１フィンに嵌合した状態で前後方向に移動可能となり、それによってノブを第１フィンに確実かつ良好に作動連結できる。
【００１４】
請求項３の発明では、ノブがカム溝を複数有し、各カム溝がフィンのうち第１フィンと該第１フィンの隣に配置された第２フィンに嵌合されているため、例えば、少なくとも２枚のフィンをノブだけで回動可能となり、それにより例えばフィンが２枚構成の態様だとノブで２枚のフィンを直に回動できる。
【００１５】
請求項４の発明では、第１フィン及び第２フィンがノブを前後方向に移動させることにより回動するのと連動し、第１フィン及び第２フィン以外のフィンがリンク機構を介して回動するため、リンク数を減らしたりリンクの全寸を短くでき、それにより簡易化と軽量化をより達成できる。
【００１６】
請求項５の発明では、ノブを前後方向に移動させることにより、複数のフィンのうち、第１フィンに第１リンクで連結された一方側フィンの一群と、第２フィンに第２リンクで連結された他方側フィンの一群とが独立して回動するため、例えば、各形態のごとくフィン数が６枚、更にフィン数が６枚以上であってもリンク機構として２つのリンクだけで全てのフィンを回動でき、それにより簡素化を達成できる。
【００１７】
請求項６の発明では、ケースがケース奥側にフィンを配置し、ケース手前側にそのフィンと異なる方向に配置された手前側フィンを有し、ノブが手前側フィンに前後移動可能に支持されているため、ノブの支持構成の容易化に加え、ケース奥側のフィンとケース手前側のフィンとで多彩な送風態様を付与できる。
【図面の簡単な説明】
【００１８】
【図１】本発明の第１形態の風向調整装置を示し、（ａ）は平行送風モードでの斜視図、（ｂ）は拡散送風モードでの斜視図である。
【図２】上記風向調整装置をフィンの平行送風モードで示し、（ａ）は上面図、（ｂ）は正面図、（ｃ）は右側面図である。
【図３】上記風向調整装置をフィンの拡散送風モードで示し、（ａ）は上面図、（ｂ）は正面図、（ｃ）は右側面図である。
【図４】上記風向調整装置をフィンの異なる態様で示し、（ａ）は図２（ｂ）のＡ−Ａ線断面図、（ｂ）は図３（ｂ）のＡ1−Ａ1線断面図、（ｃ）は（ａ）の平行送風モードからノブを左側へ移動した傾斜送風モードでの断面図である。
【図５】上記風向調整装置を構成している構成部材を示す概略分解図である。
【図６】（ａ）は図５の第１フィンと第２フィンを示す斜視図、（ｂ）はスライダとノブの関係を図５のごとく互いに対向している一方より他方を見た端面図である。
【図７】上記風向調整装置の要部を示し、（ａ）はケースの手前側フィンとスライダの関係を示す構成図、（ｂ）は手前側フィン、スライダ、ノブの関係を示す構成図、（ｃ）は手前側フィンにスライダとノブを組み付けた状態を示す構成図である。
【図８】上記風向調整装置の他の要部を示し、（ａ）と（ｂ）は第１フィンと第２フィン、スライダ、ノブ、手前側フィンの関係を示す上面図と正面図、（ｃ）は（ａ）のＢ−Ｂ線模式断面図である。
【図９】上記風向調整装置の設置例を示し、（ａ）は被取付部を示す概略斜視図、（ｂ）は被取付部に風向調整装置を取り付けた状態を示す概略斜視図である。
【図１０】本発明の第２形態の風向調整装置を示し、（ａ）は平行送風モードでの斜視図、（ｂ）は閉鎖モードでの斜視図である。
【図１１】図１０の風向調整装置をフィンの平行送風モードで示し、（ａ）は上面図、（ｂ）は正面図、（ｃ）は右側面図である。
【図１２】図１０の風向調整装置をフィンの閉鎖状態で示し、（ａ）は上面図、（ｂ）は正面図、（ｃ）は右側面図である。
【図１３】図１０の風向調整装置をフィンの異なる態様で示し、（ａ）は図１１（ｂ）のＣ−Ｃ線断面図、（ｂ）は図１２（ｂ）のＣ1−Ｃ1線断面図、（ｃ）は（ａ）の平行送風モードからノブを左側へ移動した傾斜送風モードでの断面図である。
【図１４】図１０の風向調整装置を構成している構成部材を示す概略分解図である。
【図１５】（ａ）は図１０の第１フィンと第２フィンを示す斜視図、（ｂ）はスライダとノブの関係を互いに対向している一方より他方を見た端面図である。
【図１６】上記風向調整装置の要部を示し、（ａ）と（ｂ）は第１フィンと第２フィン、ノブ、手前側フィンの関係を示す上面図と正面図、（ｃ）は（ａ）のＤ−Ｄ線模式断面図である。
【図１７】（ａ）〜（ｃ）は特許文献１に開示の装置構造（同文献１の図１２（ｃ）と図１３（ｃ），（ｄ））を示している。
【発明を実施するための最良の形態】
【００１９】
以下、本発明の２つの形態について添付した図面を参照しながら説明する。この説明では、第１形態に係る風向調整装置構造、その作動、第２形態に係る風向調整装置の変更点を明らかにする。
【００２０】
（第１形態）この風向調整装置６は、図１〜図９に示されるごとく、内側から外へ送風可能なケース１と、ケース１の対向した上下壁１０，１１に対し互いに間隔を保って配列されると共に回動可能に支持された複数の縦型（奥側）フィン２Ａ〜２Ｅ（２）と、ケース１内の手前側に設けられてフィン２と異なる方向に配置された多段構成の横型（手前側）フィン１６，１７，１８と、複数のフィン２のうち、フィン２Ａ，２Ｃ，２Ｅ同士又は／及びフィン２Ｂ，２Ｄ，２Ｆ同士を連動させるリンク機構３と、フィン１７にスライダ５を介して前後移動及び左右移動可能に支持されているノブ４とを備えている。なお、材質的には、ケース１、各フィン２、リンク機構３を構成しているリンク３Ａ，３Ｂ、ノブ４、スライダ５は全て樹脂品であるが、樹脂以外でも差し支えない。
【００２１】
ここで、ケース１２は、概略矩形の筒体からなり、上下壁１０，１１及び両側壁１２，１２で区画されて内部１３が前後に貫通していて、空気を内側から外へ吹き出すよう設定されている。上下壁１０，１１は、対向した支持部となる箇所であり、縦型フィン２Ａ〜２Ｅを回動可能に枢支する六組の軸孔１５が設けられている。両側壁１２には軸孔１２ａが同軸線上に貫通されている。内部１３の奥側には縦型フィン２Ａ〜２Ｅ（２）が配列され、内部１３の手前側には横型フィン１６，１７，１８が所定の間隔を保って設けられている。縦型フィン２は回動可能に枢支されている。横型フィン１６，１７，１８は、ケース１に一体に形成されており、フィン２の手前でフィン２と異なる方向に配置されている。フィン１７は、左右中間にあって、下面に設けられた窪みないしは凹状の段差部１９と、正面に設けられた微小張り出した凸状の段差部１７ａと、背面に設けられた凹状の段差部１７ｂとを有している。なお、構造としては、例えば、フィン１６，１８を省略したり、逆にフィン数を４枚以上に増やすことも可能である。
【００２２】
段差部１７ａは、後述するスライダ５のフィン１７への組み付けや左右摺動特性を良好にする形状であるが、省略しても差し支えない。段差部１７ｂは、スライダ５の左右移動量を規制可能にする。段差部１９は、図７（ａ）に示されるごとく手前側に形成された長方形の凹部１９ａと、凹部９ａの後側に位置してフィン背面側に近づくに従って次第に幅広に形成されたハ形状の凹部１９ｂとからなる。凹部１９ａは後述するノブ４の手前側移動量を規制する形状である。凹部１９ｂは、ノブ４の左右移動を許容すると共に、ノブ４を手前側に移動する際のセンタリングを行う形状である。
【００２３】
フィン２Ａ〜２Ｅは、概略細長い矩形板状からなり、上下の端面にあって板幅方向の略中間にそれぞれ同軸線上に突出された軸部２０と、上端面にあって軸部２０を突出していない後側を一段低い段差に形成し、その段差に突設されている軸部２１とを有している。各軸部２０は、ケース１の対応する軸孔１５に嵌合される。つまり、フィン２Ａ〜２Ｅは、軸部２０と軸孔１５との嵌合によりケース１に回動自在に支持される。また、フィン２のうち、第１フィン２Ａ及び第２フィン２Ｂは中間に配置される。フィン２Ａ，２Ｂには、２つのフィン溝２３が上下略中間に位置して、板厚方向に貫通形成されている。各フィン溝２３は、後述するノブのカム斜面４３ａに対応した摺動面２３ａを有している。摺動面２３ａは、フィン溝２３の手前側の内面及び該内面と対向しているフィン手前側の端面部分である。
【００２４】
また、この構造では、フィン２Ａ〜２Ｅの２以上を連動させるリンク機構３を有している。このリンク機構３は、第１フィン２Ａにフィン２Ｃ，２Ｅを作動連結する第１リンク３Ａと、第２フィン２Ｂにフィン２Ｄ，２Ｆを作動連結する第２リンク３Ｂとからなる。各リンク３Ａ，３Ｂは、全寸がほぼ同じ長さで、左右端側及び中間部の３箇所に設けられた軸孔３ａを有している。各軸孔３ａは上下に貫通されている。
【００２５】
そして、以上のフィン２Ａ〜２Ｅは、リンク３Ａ，３Ｂにより作動連結された状態でケース１に組み付けられる。すなわち、第１リンク３Ａは、第１フィン２Ａ、フィン２Ｃ、フィン２Ｅに対し各軸部２１を対応する軸孔３ａに嵌合した状態で支持される。第２リンク３Ｂは、第２フィン２Ｂ、フィン２Ｄ、フィン２Ｆに対し各軸部２１を対応する軸孔３ａに嵌合した状態で支持される。その後、第１フィン２Ａ、フィン２Ｃ、フィン２Ｅ及び第１リンク３Ａは、ケース１に対し、ケース後側開口よりケース内に配置され、各フィン２Ａ，２Ｃ，２Ｅに設けられた上下の軸部２０を対応する軸孔１５に嵌合することにより回動自在に支持される。同様にして、第２フィン２Ｂ、フィン２Ｄ、フィン２Ｆ及び第２リンク３Ｂは、ケース１に対し、各フィン２Ａ，２Ｃ，２Ｅに設けられた上下の軸部２０を対応する軸孔１５に嵌合することにより回動自在に支持される。
【００２６】
ノブ４は、断面略コ形状であり、対向した上下板部４０，４１及び該板部同士を連結している連結端部４２で区画されて、上下板部同士の間に横型フィン１７及びスライダ５を配置可能となっている。上板部４０及び下板部４１には、中間より先端側に向けて略逆ハ形状となったガイド溝４３が対向して設けられている。各ガイド溝４３は、溝空間を挟んだ対向内面を所定角傾斜したカム斜面４３ａとして形成している。
【００２７】
また、上下板部４０，４１は、図７及び図８に示されるごとくガイド溝４３同士の間を形成している略三角台形の中央先端部４０ａ，４１ａと、その手前にある後部分４０ｂ，４１ｂとに区画されている。更に、上下板部の後部分４０ｂ，４１ｂは、指で摘んだときに滑り難くなるように形成した接触部４４，４６を外面に有している。
【００２８】
また、下板部４１の内面には、２つの突起４８が中央先端部４１ａの奥側に突設されている。この突起４８は、ノブ４が図７（ｃ）のごとく横型フィン１７に対し後述するスライダ５を介在して前後動可能に組み付けられた状態で、例えば、手前側に最大まで引っ張った際に段差部１９の凹部１９ａに当たることでフィン１７から不用意に外れないよう規制する。なお、図６（ｂ）に示されるごとく、上板部４０の内面には後述するスライダ５の上板部５０に対応した案内用段差部４５が設けられ、下板部４１の内面にはスライダ５の下板部５１に対応した案内用段差部４７が設けられている。
【００２９】
スライダ５は、図６（ｂ）及び図７に示されるごとく断面略コ形状であり、上下板部５０，５１及び該板部同士を連結している連結端部５２からなる。また、上板部５０は、下板部５１よりも幅広に形成され、又、上記した横型フィン１７の段差部１７ｂの幅寸法よりも幅細となっている。上下板部５０，５１は、先端に設けられて互いに内向きに突出した爪部５３，５４を有し、両板部の間にフィン対応部を挟み込んだ状態で爪部５３，５４が段差部１７ａと嵌合する。これにより、スライダ５は、フィン１７に対し図７（ｃ）のごとく段差部１７ｂの範囲だけ左右に摺動可能に支持される。また、連結端部５２は、下板部５１の両側延長線上に貫通形成された対の逃穴５５を有している。各逃穴５５は、上記突起４８を連結端部５２の内外へ出入り可能にする箇所である。
【００３０】
そして、ノブ４は、スライダ５が以上のようにしてフィン７に位置決め支持された後、フィン７に組付けられる。この要領は、ノブ４が図７（ｂ）の状態から、フィン７に支持されたスライダ５を上板部４０と下板部４１の間に挿入するように移動操作されるが、途中で各突起４８が段差部１７ａに当たる。そこで、ノブ４は、各突起４８が下板部４１の開き方向への弾性変位を伴って段差部１７ａの下側から段差部１９に嵌合させると、段差部４５が上板部５０と嵌合し、段差部４７が下板部５１と嵌合した状態で前後移動可能に支持される。
【００３１】
同時に、ノブ４は、図８に示されるごとく第１フィン２Ａ及び第２フィン２Ｂに対し、中央先端部４０ａ，４１ａの両側先端部分が対応するフィン溝２３を貫通した態様で前後移動可能に嵌合される。これにより、この構造では、第１フィン２Ａ及び第２フィン２Ｂがノブ４の前後移動により回動するのと連動し、フィン２Ｃ，２Ｅ及びフィン２Ｄ，２Ｆがリンク３Ａ，３Ｂを介し同期して回動可能となる。この点は後で詳述する。
【００３２】
（作動）以下、以上のように作製された風向調整装置６の主な作動について言及する。
（１）、図１及び図４の各（ａ）と図２は、各フィン２Ａ〜２Ｅが互いに略平行となった平行送風モードの状態である。この状態は、ノブ４が図２（ａ）の矢印方向へ最大まで前方移動されると、第１フィン２Ａ及び第２フィン２Ｂに対し中央先端部４０ａ，４１ａの両側先端部分が対応するフィン溝２３に深く入り込んでおり、ガイド溝のカム斜面４３ａの基部側がフィン溝の摺動面２３ａの対応部に当接している（図８（ａ）を参照）。そのため、この風向調整装置６では、第１フィン２Ａ及び第２フィン２Ｂが振動等により不用意に動かなくなり、フィン２Ｃ及び２Ｅを第１フィン２Ａに作動連結している第１リンク３Ａにより、フィン２Ｄ及び２Ｆを第２フィン２Ｂに作動連結している第２フィン２Ｂにより、それぞれ安定した状態に維持される。なお、このときは、突起４８がフィン１７の段差部１９から外れて段差部１９の規制を受けない状態、つまりノブ４が左右に摺動可能となっている。
【００３３】
（２）、図１及び図４の各（ｂ）と図３は、平行送風モードから、第１フィン２Ａ及びフィン２Ｃ，２Ｅと、第２フィン２Ｂ及びフィン２Ｄ，２Ｆが反対方向に回動された拡散送風モードに切り換えられた状態である。この切換構造は、ノブ４が図２（ｂ）の矢印方向つまり手前側に最大まで引き出される過程において、第１フィン２Ａ及び第２フィン２Ｂがフィン溝２３の内側摺動面２３ａに当接している各ガイド溝の対応カム斜面４３ａから受ける応力により、各軸部２０を支点としてケース中間より離れる左右の方向にそれぞれ回動される。換言すると、ノブ４は、各突部４８が段差部の凹部１９ａに当たるまで手前側に引っ張られる。すると、第１フィン２Ａと第２フィン２Ｂは、中央先端部４０ａ，４１ａを区画しているガイド溝４３とガイド溝４３の間の寸法が手前側から先端側に行くに従って次第に幅広に形成されているため、ノブ４が手前方向へ移動されるのに伴って、内側摺動面２３ａに対してカム斜面４３ａの対応傾斜により、各軸部２０を支点としてフィン手前側をそれぞれハ形状の傾斜となるよう回動される。この風向調整装置６では、それに同期して、フィン２Ｃ及び２Ｅは、第１リンク３Ａより第１フィン２Ａと同方向に回動される。フィン２Ｄ及び２Ｆは、第２リンク３Ｂにより第２フィン２Ｂと同方向に回動される。拡散送風モードから再び水平送風モードに戻す場合は、ノブ４を摘んで押し込み操作により再び水平送風モードに戻される。
【００３４】
（３）、図４（ｃ）は上記平行送風モードから、ノブ４がスライダ５を介して同図の矢印方向へ最大まで横移動されて、全てのフィン２Ａ〜２Ｅが非平行でほぼ同じ方向に回動され傾斜された傾斜送風モードの状態である。換言すると、ノブ４は、平行送風モードにおいて、横方向である右又は左側、つまりスライダ５が段差部１７ｂの対応する側の端面に当たるまで移動されると、第１フィン２Ａと第２フィン２Ｂが摺動面２３ａの対応部に加わるカム斜面４３ａからの応力により上下の軸部２０を支点としてノブ４の移動方向に応じた向きへ回動されて傾斜状態となる。これと同期して、他のフィン２Ｃ及び２Ｅは第１リンク３Ａを介し、フィン２Ｄ及び２Ｆは第２リンク３Ｂを介しそれぞれ第１フィン２Ａ及び第２フィン２Ｂと同方向へ回動されて非平行となる傾斜送風モードに切り換えられる。なお、この傾斜送風モードは、各フィン２Ａ〜２Ｆがノブ４の横移動の度合い、ないしは第１フィン２Ａ及び第２フィン２Ｂの回動度合いに応じた角度となるため首振り送風モードと称されることもある。
【００３５】
（４）、以上のようにして、この風向調整装置６では、ノブ４を前後方向に移動させることにより、複数のフィン２のうち、第１フィン２Ａに第１リンク３Ａを介して連結された一方側フィンの一群つまりフィン２Ａ，２Ｃ，２Ｅと、第２フィン２Ｂに第２リンク３Ｂを介して連結された他方側フィンの一群つまりフィン２Ｂ，２Ｄ，２Ｆとが独立して回動する。このため、この装置構造において、可動のフィン構成としては形態以外に、例えば、一方側フィンの一群、他方側フィンの一群の何れか一方で構成することも可能である。また、一方側フィンの一群をフィン２Ａ，２Ｃ、他方側フィンの一群をフィン２Ｂ，２Ｄで構成したり、更に、一方側フィンの一群をフィン２Ａ，２Ｃ、２Ｅ、他方側フィンの一群をフィン２Ｂ，２Ｄで構成することも可能である。
【００３６】
（５）、以上の風向調整装置６は、特許文献１のような従来構造と比較すると、特に、第１フィン２Ａ及び第２フィン２Ｂがノブ４を前後方向に移動させることによりリンクを用いることなくフィン溝の摺動面２３ａとガイド溝のカム面４３ａのカム作用により直に回動される点、第１フィン２Ａ及び第２フィン２Ｂの回動と連動して、他のフィンつまりフィン２Ｃ，２Ｅと、フィン２Ｄ，２Ｆとがリンク機構３を介して回動するためリンク数を減らしたりリンクの全寸を短くでき、それによって簡易化と軽量化をより達成可能となる。また、この構造では、ノブ４を前後方向に移動させることにより、複数のフィン２のうち、第１フィン２Ａに第１リンク３Ａで連結された一方側フィンの一群と、第２フィン２Ｂに第２リンク３Ｂで連結された他方側フィンの一群とが独立して回動するため、例えば、形態のごとくフィン数が６枚、更にフィン数が６枚以上であってもリンク機構として２つのリンクだけで全てのフィンを回動でき、それによっても簡素化を達成できる。しかも、この構造では、ケース１がケース奥側にフィン２を配置し、ケース手前側にそのフィン２と異なる方向に配置された手前側フィン１６〜１８を有し、ノブ４が手前側フィン１７に前後移動可能に支持されているため、ノブ４の支持構成を簡易化でき、加えてケース奥側のフィンとケース手前側のフィンとで多彩な送風態様を付与できる。
【００３７】
（６）、図９は以上の風向調整装置６を被取付部７に設置する場合の一例を示している。被取付部７は、専用のハウジング、或いは自動車のインストルメントパネルを想定している。この被取付部７は、上記ケース１を多少隙間を持って収納配置する矩形筒部７ａを有している。筒部７ａは、両内側壁に対向して突出された支持軸７ｂ，７ｂを有し、風向調整装置６がその支持軸７ｂ，７ｂにケース両側壁に設けられた対応軸孔１２ａを嵌合し支持している。このため、風向調整装置６は、同（ｂ）の設置状態において、例えば、横型フィン１６や１８或いはノブ４を摘んで枢軸線上である矢印Ｎ方向に所定角回動調整され、調整後の角度で圧接保持されるようになっている。
【００３８】
（第２形態）この風向調整装置９は、上記第１形態に比べて特にリンク機構３を変更することにより、フィン２Ａ〜２Ｅ（２）を平行送風モード、閉鎖モード、傾斜送風モードに切換可能にした一例である。この説明では、以上の第１形態と同一又は類似する箇所には同じ符号を付し重複した記載を極力省きつつ、変更点を明らかにする。なお、図１０〜図１５は第１形態の図１〜図６に対応し、図１６は第１形態の図８に対応している。また、図１０（ａ）は風向調整装置９が被取付部７に設置された状態、つまり図９（ｂ）に対応している。
【００３９】
変更点１は、複数の縦型（奥側）フィン２、つまりフィン２Ａ〜２Ｅの形状変更である。すなわち、フィン２Ａ〜２Ｅは、概略細長い矩形板状からなり、上下の端面にあって板幅方向の略中間にそれぞれ同軸線上に突出された軸部２０と共にリンク３Ａ，３Ｂの軸孔３ａと嵌合する軸部２１を有し、また第１フィン２Ａ及び第２フィン２Ｂが摺動面２３ａの一部を形成しているフィン溝２３を有している点で第１形態と同じ。しかし、第２形態のフィン２では、第１形態に比べ、軸部２１の配置構成と、第１フィン２Ａ及び第２フィン２Ｂに追加されたフランジ構成と、フィン２Ｃ及び２Ｄに追加された窪み構成とが変更されている。
【００４０】
軸部２１の配置構成において、図１４に示されるごとく、フィン２Ａ〜２Ｆの上端面と、フィン２Ａ〜２Ｄと２Ｅの下端面には、軸部２０を突出していない後側を一段低い上下の段差に形成している。そして、フィン２Ｂ，２Ｃ，２Ｆでは上側の段差に軸部２１を突設し、フィン２Ａ，２Ｄ，２Ｅでは上側の段差に軸部２１を突設している。これらの変更はリンク機構３の変更に対応した構成である。
【００４１】
フィン２Ａ，２Ｂのフランジ構成において、図１３、図１５（ａ）、図１６に示されるごとく、フィン２Ａとフィン２Ｂの対向側面に設けられて各フィン溝２３を挟んだ上下部から突出されている合計４つのフランジ２４と、フィン２Ａとフィン２Ｂの対向していない側の外側面に設けられてフィン溝２３の後側に突出している縦リブ２６とを有している。
【００４２】
このうち、各フランジ２４は、略半円盤状からなり、図１３（ａ）の平行送風モードや同（ｂ）の閉鎖モードの状態だと、左右の対向したフランジ２４同士が接近し、かつ、上下の対向したフランジ２４同士の間にノブ４を構成している上下板部４０，４１の対応する中央先端部４０ａ，４１ａを摺動自在に配置可能となっている。各フランジ２４は、フィン２の回動特性を良好に維持しながら、特に図１３（ｂ）の閉鎖モードにおいて第１フィン２Ａと第２フィン２Ｂの後側がフランジ２４の円弧状同士の接近や接触により密になるようにする。また、各縦リブ２６は、各フィン溝２３の後側に突出していることで、例えば、閉鎖モードにおいて空気がフィン溝２３の隙間から手前側へ漏れ難くする。
【００４３】
また、フィン２Ｃ，２Ｄの窪み構成において、図１４に示されるごとく、フィン２Ｃとフィン２Ｄの手前側の端面上下中間付近に設けられた２つの窪み２７は、特に閉鎖モードにおいて図１３（ｂ）のごとくフィン２Ｃと２Ｄの各窪み２７にノブ４の後部分４０ｂの両側突出端を嵌合し受け止める。一方、フィン２Ｃとフィン２Ｄには、図１４に示されるごとく２つの小さな窪み２８がフィン２Ａ又は２Ｂと対向する側面にあって上下中間付近で後側に設けられている。窪み２８同士の間隔は、ノブの上板部５０と下板部５１のほぼ間隔に一致している。そして、各窪み２８は、フィン２が図１３（ｃ）の傾斜送風モードの状態でノブの後部分４０ｂの両側突出端を受け止める。
【００４４】
これによって、この構造では、部材同士の緩衝を緩和したり、フィン２の不用意な揺動を抑えてフィンを安定保持可能にする。また、第２形態のノブ４は、図１３及び図１４に示されるごとく上下板部４０，４１の先端の中間に突設された三角状のリブ４９を有している。このリブ４９は、例えば、閉鎖モードにおいて図１３（ｂ）のごとく上下のフランジ２４同士の間に突出するようになっている。
【００４５】
変更点２はリンク機構３のリンク構成である。すなわち、第２形態のリンク機構３は、フィン２のうち、フィン上側に配置されてフィン２Ｂにフィン２Ｃ，２Ｆを作動連結する第１リンク３Ｃと、フィン下側に配置されて第２フィン２Ａにフィン２Ｄ，２Ｅを作動連結する第２リンク３Ｄとからなる。各リンク３Ｃ，３Ｄは、互いの全寸がほぼ同じ長さであり、第１形態のリンク３Ａ，３Ｂよりも長くなっている。各リンク３Ｃ，３Ｄは、第１形態と同じく左右端側及び中間部の３箇所に設けられた上下貫通した軸孔３ａを有している。
【００４６】
そして、フィン２Ａ〜２Ｅは、リンク３Ｃ，３Ｄにより作動連結された状態でケース１に組み付けられる。すなわち、第１リンク３Ｃは、第２フィン２Ｂ、フィン２Ｃ、フィン２Ｆに対し各軸部２１を対応する軸孔３ａに嵌合した状態で支持される。第２リンク３Ｄは、第２フィン２Ａ、フィン２Ｄ、フィン２Ｅに対し各軸部２１を対応する軸孔３ａに嵌合した状態で支持される。その後、第１フィン２Ｂ、フィン２Ｃ、フィン２Ｆ及び第１リンク３Ｃは、ケース１に対し、ケース後側開口よりケース内に配置され、各フィン２Ｂ，２Ｃ，２Ｆに設けられた上下の軸部２０を対応する軸孔１５に嵌合することにより回動自在に支持される。同様にして、第２フィン２Ａ、フィン２Ｄ、フィン２Ｅ及び第２リンク３Ｄは、ケース１に対し、各フィン２Ａ，２Ｄ，２Ｅに設けられた上下の軸部２０を対応する軸孔１５に嵌合することにより回動自在に支持される。作動特徴の変更点は以下の通りである。
【００４７】
（１）、図１０及び図１３の各（ａ）と図１１は、各フィン２Ａ〜２Ｅが互いに略平行となった平行送風モードの状態である。この状態は、ノブ４が図１３（ａ）の矢印方向へ最大まで前方移動されると、第１フィン２Ａ及び第２フィン２Ｂに対し中央先端部４０ａ，４１ａの両側先端部分が対応するフィン溝２３に深く入り込んでおり、カム斜面４３ａの基部側が摺動面２３ａの対応部に当接している（図１６（ａ）を参照）。そのため、この風向調整装置６では、第１フィン２Ａ及び第２フィン２Ｂが振動等により不用意に動かなくなり、フィン２Ｄ及び２Ｅを第１フィン２Ａに作動連結している第２リンク３Ｄにより、フィン２Ｃ及び２Ｆを第２フィン２Ｂに作動連結している第１リンク３Ｃにより、それぞれ安定した状態に維持される。
【００４８】
（２）、図１０及び図１３の各（ｂ）と図１２は、平行送風モードから、第１フィン２Ａ及びフィン２Ｄ，２Ｅと、第２フィン２Ｂ及びフィン２Ｃ，２Ｆが反対方向に回動された閉鎖モードに切り換えられた状態である。この切換構造は、ノブ４が図１３（ｂ）の矢印方向つまり手前側に最大まで引き出される過程において、第１フィン２Ａ及び第２フィン２Ｂがフィン溝２３の内側摺動面２３ａに当接している各ガイド溝の対応カム斜面４３ａから受ける応力により、各軸部２０を支点として手前側を中間より離れる左右の方向にそれぞれ回動される。換言すると、ノブ４は、各突部４８が段差部の凹部１９ａに当たるまで手前側に引っ張られる。すると、第１フィン２Ａ及び第２フィン２Ｂは、中央先端部４０ａ，４１ａを区画しているガイド溝４３とガイド溝４３の間の寸法が手前側から先端側に行くに従って次第に幅広に形成されているため、ノブ４が手前方向へ移動されるのに伴って、内側摺動面２３ａに対してカム斜面４３ａの対応傾斜により、各軸部２０を支点としてフィン手前側をそれぞれハ形状の傾斜となるよう回動される。この風向調整装置９では、それに同期して、フィン２Ｄ及び２Ｅは、第２リンク３Ｄより第１フィン２Ａと同方向に回動される。フィン２Ｃ及び２Ｆは、第１リンク３Ｃにより第２フィン２Ｂと同方向に回動される。閉鎖モードから再び水平送風モードに戻す場合は、ノブ４を摘んで押し込み操作により再び水平送風モードに戻される。
【００４９】
（３）、図１３（ｃ）は上記平行送風モードから、ノブ４がスライダ５を介して同図の矢印方向へ最大まで横移動されて、全てのフィン２Ａ〜２Ｅが非平行でほぼ同じ方向に回動され傾斜された傾斜送風モードの状態である。換言すると、ノブ４は、平行送風モードにおいて、横方向である右又は左側、つまりスライダ５が段差部１７ｂの対応する側の端面に当たるまで移動されると、第１フィン２Ａと第２フィン２Ｂが摺動面２３ａの対応部に加わるカム斜面４３ａからの応力により上下の軸部２０を支点としてノブ４の移動方向に応じた向きへ回動されて傾斜状態となる。これと同期して、他のフィン２Ｃ及び２Ｆは第１リンク３Ｃを介し、フィン２Ｄ及び２Ｅは第２リンク３Ｄを介しそれぞれ第１フィン２Ａ及び第２フィン２Ｂと同方向へ回動されて非平行となる傾斜送風モードに切り換えられる。作動的には以上の点を除き第１形態で述べたことが当てはまる。
【００５０】
なお、本発明の風向調整装置は、請求項で特定される構成を備えておればよく、細部は以上の説明を参考にして変更したり展開可能なものである。その一例として、各形態例の風向調整装置を横配置ではなく、９０度回動した縦配置として構成することも可能である。また、ケース１の形状、縦型フィンないしは奥側フィン２、横型フィンないしは手前側フィン１６〜１８の枚数等については要求される仕様に応じて適宜変更しても差し支えないものである。ノブ２は、手前側フィン１７に対しフィン１７を上下から挟むように前後動可能に支持したが、例えば手前側フィンの下面又は上面にコ形の取付部を設けたり、ケース１の上壁又は下壁にコ形の取付部を設けるようにして、それら取付部を構成している中間片部に対して支持する構成でもよい。
【符号の説明】
【００５１】
１・・・・・・・ケース（１３は開口部、１５は軸孔）
２・・・・・・・縦型（奥側）フィン（２Ａは第１フィン、２Ｂは第２フィン）
２Ｃ〜２Ｅ・・・フィン（フィン２Ａ，２Ｂ以外のフィン）
３・・・・・・・リンク機構（３Ａと３Ｃは第１リンク、３Ｂと３Ｄは第２リンク）
４・・・・・・・ノブ（４０と４１は上下板部、４２は連結端部）
５・・・・・・・スライダ（５０と５１は上下板部、５２は連結端部）
６，９・・・・・風向調整装置
７・・・・・・・被取付部（７ａは筒部、７ｂは支持軸）
１６〜１８・・・横型（手前側）フィン
１９・・・・・・段差部（１９ａは長方形の凹部、９ｂはハ形の凹部）
２０，２１・・・軸部
３ａ・・・・・・軸孔
１２ａ・・・・・軸孔
１５・・・・・・軸孔
２３・・・・・・フィン溝（２３ａは摺動面）
４３・・・・・・ガイド溝（４３ａはカム斜面）
４８・・・・・・突起
５５・・・・・・逃穴
【図１】
2018075988.tif 000003
【図２】
2018075988.tif 000004
【図３】
2018075988.tif 000005
【図４】
2018075988.tif 000006
【図５】
2018075988.tif 000007
【図６】
2018075988.tif 000008
【図７】
2018075988.tif 000009
【図８】
2018075988.tif 000010
【図９】
2018075988.tif 000011
【図１０】
2018075988.tif 000012
【図１１】
2018075988.tif 000013
【図１２】
2018075988.tif 000014
【図１３】
2018075988.tif 000015
【図１４】
2018075988.tif 000016
【図１５】
2018075988.tif 000017
【図１６】
2018075988.tif 000018
【図１７】
2018075988.tif 000019